【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
注入システムであって、
ポンプと、
流体を送達するためのポンプに接続された流体送達ラインと、
流体送達ラインの中に空気が存在するかどうかを検出する信号を発信および受信するために、流体送達ラインに接続された少なくとも１つのセンサと、
ポンプおよび少なくとも１つのセンサと電気的に通信しているプロセッサと、
プロセッサにより実行するためのプログラミングコードを備える、プロセッサと電気的に通信しているメモリと
を備え、
プログラミングコードは、流体送達ラインの観測される体積内部の空気のパーセンテージを決定し、少なくとも１つのセンサにより得られる複数のアナログ−デジタルカウント読取値を解析して、空気−流体閾値を超える、複数のアナログ−デジタルカウント読取値の総数を判断し、空気−流体閾値を超える複数のアナログ−デジタルカウント読取値の総数に、アナログ−デジタルカウント読取値ごとの較正された体積を乗算して、観測される体積内部の泡体積を決定するように構成される、注入システム。
【請求項２】
プログラミングコードが、観測される体積内部の空気のパーセンテージが泡閾値を超える場合に警告をトリガするように構成される、請求項１に記載の注入システム。
【請求項３】
メモリが、異なる観測される体積に対して、異なる泡閾値を備える、保存された複数の対設定を備え、プログラミングコードは、保存された対設定のうちどれがプログラミングコードにより適用されるかを決定するユーザ入力を受け入れるように構成される、請求項２に記載の注入システム。
【請求項４】
プログラミングコードが、動的泡閾値を決定するように構成され、観測される体積内部の空気のパーセンテージが動的泡閾値を超える場合に警告をトリガするように構成される、請求項１に記載の注入システム。
【請求項５】
観測される体積が、設定された体積の窓を備え、プログラミングコードは、流体が流体送達ラインを通って移動するときに、さまざまな時点で、窓内部に配置される空気のパーセンテージを連続して解析するように構成される、請求項１に記載の注入システム。
【請求項６】
プログラミングコードが、泡体積が泡閾値を超える場合に警告をトリガするように構成される、請求項１に記載の注入システム。
【請求項７】
プログラミングコードが、少なくとも１つのセンサにより得られる複数のアナログ−デジタルカウント読取値を解析して、複数のアナログ−デジタルカウント読取値のうち、特定のアナログ−デジタルカウント読取値が空気または流体を備える信頼水準を考慮する重み係数により重みをつけられたどの測定値重みづけ数値が、空気−流体閾値を超えるかを判断するように構成される、請求項１に記載の注入システム。
【請求項８】
注入システムの流体送達ライン内の泡を検出する方法であって、
少なくとも１つのセンサを経て流体送達ラインを通して流体を圧送するステップと、
少なくとも１つのセンサから流体送達ラインの中に信号を発信し、流体送達ラインから信号を受信するステップと、
プロセッサを使用し、信号の測定値を処理して、流体送達ラインの観測される体積内部の空気のパーセンテージを決定し、プロセッサにより、少なくとも１つのセンサにより得られる複数のアナログ−デジタルカウント読取値を解析し、プロセッサにより、空気−流体閾値を超える、複数のアナログ−デジタルカウント読取値の総数を判断し、プロセッサにより、空気−流体閾値を超える複数のアナログ−デジタルカウント読取値の総数に、アナログ−デジタルカウント読取値ごとの較正された体積を乗算して、観測される体積内部の泡体積を決定するステップと
を備える方法。
【請求項９】
観測される体積内部の空気のパーセンテージが泡閾値を超える場合に、プロセッサが警告をトリガするステップをさらに備える、請求項８に記載の方法。
【請求項１０】
プロセッサが、ユーザ入力を処理し、ユーザ入力に基づき、異なる観測される体積に対して、異なる泡閾値を備える、保存された複数の対設定のうちどれが、流体送達ラインの観測される体積内部の空気のパーセンテージを決定するためにプロセッサにより使用されるかを判断するステップをさらに備える、請求項９に記載の方法。
【請求項１１】
プロセッサが、動的泡閾値を決定し、観測される体積内部の空気のパーセンテージが動的泡閾値を超える場合に警告をトリガするステップをさらに備える、請求項８に記載の方法。
【請求項１２】
流体が流体送達ラインを通って移動するときに、プロセッサが、さまざまな時点で、設定された体積の窓を備える、観測される体積内部に配置される空気のパーセンテージを連続して解析するステップをさらに備える、請求項８に記載の方法。
【請求項１３】
泡体積が泡閾値を超える場合に、プロセッサが警告をトリガするステップをさらに備える、請求項８に記載の方法。
【請求項１４】
プロセッサが、少なくとも１つのセンサにより得られる複数のアナログ−デジタルカウント読取値を解析して、複数のアナログ−デジタルカウント読取値のうち、特定のアナログ−デジタルカウント読取値が空気または流体を備える信頼水準を考慮する重み係数により重みをつけられたどの測定値重みづけ数値が、空気−流体閾値を超えるかを判断するステップをさらに備える、請求項８に記載の方法。
【請求項１５】
非一時的コンピュータ読取可能媒体であって、注入システムの流体送達ラインの観測される体積内部の空気のパーセンテージを決定することと、少なくとも１つのセンサにより得られる複数のアナログ−デジタルカウント読取値を解析して、空気−流体閾値を超える、複数のアナログ−デジタルカウント読取値の総数を判断することと、空気−流体閾値を超える複数のアナログ−デジタルカウント読取値の総数に、アナログ−デジタルカウント読取値ごとの較正された体積を乗算して、観測される体積内部の泡体積を決定することとを含む方法を実行するためのコンピュータ実行可能命令を備える、非一時的コンピュータ読取可能媒体。
【請求項１６】
観測される体積内部の空気のパーセンテージが泡閾値を超える場合に警告をトリガするようにプログラムされる、請求項１５に記載の非一時的コンピュータ読取可能媒体。
【請求項１７】
異なる観測される体積に対して、異なる泡閾値を備える、複数の保存された対設定のうちどれがプログラミングコードにより適用されるかを決定するユーザ入力を受け入れるようにプログラムされる、請求項１６に記載の非一時的コンピュータ読取可能媒体。
【請求項１８】
動的泡閾値を決定するように、かつ観測される体積内部の空気のパーセンテージが動的泡閾値を超える場合に警告をトリガするようにプログラムされる、請求項１５に記載の非一時的コンピュータ読取可能媒体。
【請求項１９】
流体が流体送達ラインを通って移動するときに、さまざまな時点で、設定された体積の窓を備える、観測される体積内部に配置される空気のパーセンテージを連続して解析するようにプログラムされる、請求項１５に記載の非一時的コンピュータ読取可能媒体。
【請求項２０】
泡体積が泡閾値を超える場合に警告をトリガするようにプログラムされる、請求項１５に記載の非一時的コンピュータ読取可能媒体。
【請求項２１】
少なくとも１つのセンサにより得られる複数のアナログ−デジタルカウント読取値を解析して、複数のアナログ−デジタルカウント読取値のうち、特定のアナログ−デジタル読取値が空気または流体を備える信頼水準を考慮する重み係数により重みをつけられたどの測定値重みづけ数値が、空気−流体閾値を超えるかを判断するようにプログラムされる、請求項１５に記載の非一時的コンピュータ読取可能媒体。